(57)【要約】【課題】  雨水等を効率良く十分に排水することができるグラウンドの排水構造を提供する。【解決手段】  グラウンドに降ったり撒かれたりした雨水等は、グラウンドの全面に敷設された透水性の人工芝生３および透水性のアスファルト層２を透過する。そして、アスファルト層２を透過した雨水等は、砕石層１に埋設された暗渠４の透水構造部分４Ａから内部の排水空間４Ｃに透過し、暗渠４の不透水構造部分４Ｂによって排水される。一方、グラウンドの周辺部においては、アスファルト層２を透過した雨水等は、側溝６の開口を覆う透水性の覆蓋７の上面７Ａおよび透水受部７Ｂの湾曲凹面７Ｃを透過して側溝６内に排水される。【選択図】図１
2009102913.tif 000002
【特許請求の範囲】
【請求項１】
路盤となる砕石層の表面が透水性のアスファルト層で覆われ、このアスファルト層に透水性の人工芝生が敷設されるグラウンドの排水構造であって、
前記砕石層の表面に上面を臨ませて排水用の暗渠が埋設されており、
前記暗渠は、少なくとも前記アスファルト層に対面する上面から内部の排水空間に向けて水を透過させる透水構造部分と、前記排水空間に透過した水を排水させる不透水構造部分とを有することを特徴とするグラウンドの排水構造。
【請求項２】
路盤となる砕石層の表面が砂層で覆われ、この砂層に天然芝生が植設されるグラウンドの排水構造であって、
前記砂層に少なくとも上面を臨ませて排水用の暗渠が埋設されており、
前記暗渠は、前記砂層に対面する周面から内部の排水空間に向けて水を透過させる透水構造部分と、前記排水空間に透過した水を排水させる不透水構造部分とを有することを特徴とするグラウンドの排水構造。
【請求項３】
前記暗渠は、上半部が透水性の多孔質コンクリートからなる透水構造部分とされ、下半部が不透水性のコンクリートからなる不透水構造部分とされていることを特徴とする請求項１または請求項２に記載のグラウンドの排水構造。
【請求項４】
路盤となる砕石層の表面が透水性のアスファルト層で覆われ、このアスファルト層に透水性の人工芝生が敷設されるグラウンドの排水構造であって、
前記砕石層の周辺部には、多孔質コンクリートからなる透水性の覆蓋で塞がれる排水用の側溝が敷設されており、
前記覆蓋は、前記アスファルト層の表面に臨む上面と、前記アスファルト層および砕石層に対面する側面とを有し、
前記アスファルト層の表面から前記覆蓋の上面に亘って透水性の人工芝生が敷設されることを特徴とするグラウンドの排水構造。
【請求項５】
路盤となる砕石層の表面が砂層で覆われ、この砂層に天然芝生が植設されるグラウンドの排水構造であって、
前記砕石層の周辺部には、多孔質コンクリートからなる透水性の覆蓋で塞がれる排水用の側溝が敷設されており、
前記覆蓋の上面および側面が前記砂層に対面していることを特徴とするグラウンドの排水構造。
【請求項６】
前記覆蓋の側面には、庇状に張り出すことで少なくとも前記アスファルト層または前記砂層からの透水を受けて前記側溝内に透水を誘導する透水受部が形成されていることを特徴とする請求項４または請求項５に記載のグラウンドの排水構造。
【請求項７】
前記透水受部の上面が湾曲凹面に形成されていることを特徴とする請求項６に記載のグラウンドの排水構造。
【請求項８】
前記多孔質コンクリートは、２０〜３０％の連続空隙率を有することを特徴とする請求項３〜５の何れか１つの請求項に記載のグラウンドの排水構造。
【発明の詳細な説明】
【技術分野】
【０００１】
本発明は、グラウンドの排水構造に関し、詳しくは、野球やサッカー等の野外競技に使用されるグラウンドに好適な排水構造に関するものである。
【背景技術】
【０００２】
野球やサッカー等の野外競技に使用されるグラウンドにおいては、競技の直前や競技中に雨が降った場合、速やかに雨水を排水できることが要望される。このような要望に応える先行技術として、例えば、特許文献１には、グラウンドに軟質素材からなる排水材を多数埋設し、排水材の上端をグラウンドの地表面に配置すると共に、排水材の下端を地下に設置した暗渠に連通させたグラウンド構造が開示されている。
【０００３】
ここで、グラウンドは、砕石からなる路盤材の層をまさ土や混合土からなる表層材で覆った構造とされている。また、軟質素材からなる排水材は、例えばフェルト状または毛布状の不織布で構成されている。そして、この排水材は、グラウンドの中央部から左右方向に１０メートル程度の所定間隔で帯状に配置されている。
【特許文献１】特開平７−３２４３７０号公報（段落番号０００９〜００１０、図１、図２）
【発明の開示】
【発明が解決しようとする課題】
【０００４】
ところで、特許文献１に記載されたようなグラウンド構造では、グラウンドに降ったり撒かれたりした雨水等は、グラウンドに所定間隔で帯状に配置された排水材のみを通して暗渠に排水される。このため、雨水等の排水効率が悪く、十分な排水能力が期待できない。
【０００５】
そこで、本発明は、雨水等を効率良く十分に排水することができるグラウンドの排水構造を提供することを課題とする。
【課題を解決するための手段】
【０００６】
このような課題を解決する手段として、第１の発明に係るグラウンドの排水構造は、路盤となる砕石層の表面が透水性のアスファルト層で覆われ、このアスファルト層に透水性の人工芝生が敷設されるグラウンドの排水構造であって、前記砕石層の表面に上面を臨ませて排水用の暗渠が埋設されており、前記暗渠は、少なくとも前記アスファルト層に対面する上面から内部の排水空間に向けて水を透過させる透水構造部分と、前記排水空間に透過した水を排水させる不透水構造部分とを有することを特徴とする。
【０００７】
第１の発明に係るグラウンドの排水構造では、グラウンドに降ったり撒かれたりした雨水等は、グラウンドの全面から透水性の人工芝生および透水性のアスファルト層を透過し、砕石層に埋設された暗渠の透水構造部分から内部の排水空間に透過する。そして、暗渠の排水空間に透過した雨水等は、暗渠の不透水構造部分によって排水される。
【０００８】
第２の発明に係るグラウンドの排水構造は、路盤となる砕石層の表面が砂層で覆われ、この砂層に天然芝生が植設されるグラウンドの排水構造であって、前記砂層に少なくとも上面を臨ませて排水用の暗渠が埋設されており、前記暗渠は、前記砂層に対面する周面から内部の排水空間に向けて水を透過させる透水構造部分と、前記排水空間に透過した水を排水させる不透水構造部分とを有することを特徴とする。
【０００９】
第２の発明に係るグラウンドの排水構造では、グラウンドに降ったり撒かれたりした雨水等は、グラウンドの全面から砂層を透過し、砕石層に埋設された暗渠の透水構造部分から内部の排水空間に透過する。そして、暗渠の排水空間に透過した雨水等は、暗渠の不透水構造部分によって排水される。
【００１０】
第１の発明または第２の発明に係るグラウンドの排水構造において、砕石層に埋設される暗渠は、上半部を透水性の多孔質コンクリートからなる透水構造部分とし、下半部を不透水性のコンクリートからなる不透水構造部分とすることができる。ここで、第２の発明に係るグラウンドの排水構造においては、暗渠の上半部の上面および側面が砂層に対面していてもよい。
【００１１】
第３の発明に係るグラウンドの排水構造は、路盤となる砕石層の表面が透水性のアスファルト層で覆われ、このアスファルト層に透水性の人工芝生が敷設されるグラウンドの排水構造であって、前記砕石層の周辺部には、多孔質コンクリートからなる透水性の覆蓋で塞がれる排水用の側溝が敷設されており、前記覆蓋は、前記アスファルト層の表面に臨む上面と、前記アスファルト層および砕石層に対面する側面とを有し、前記アスファルト層の表面から前記覆蓋の上面に亘って透水性の人工芝生が敷設されることを特徴とする。
【００１２】
第３の発明に係るグラウンドの排水構造では、グラウンドの周辺部に降ったり撒かれたりした雨水等は、透水性の人工芝生および透水性のアスファルト層を透過すると共に、砕石層の周辺部に敷設された側溝を覆う透水性の覆蓋を透過して側溝内に排水される。
【００１３】
第４の発明に係るグラウンドの排水構造は、路盤となる砕石層の表面が砂層で覆われ、この砂層に天然芝生が植設されるグラウンドの排水構造であって、前記砕石層の周辺部には、多孔質コンクリートからなる透水性の覆蓋で塞がれる排水用の側溝が敷設されており、前記覆蓋の上面および側面が前記砂層に対面していることを特徴とする。
【００１４】
第４の発明に係るグラウンドの排水構造では、グラウンドの周辺部に降ったり撒かれたりした雨水等は、砂層を透過すると共に、砕石層の周辺部に敷設された側溝を覆う透水性の覆蓋の上面および側面を透過して側溝内に排水される。
【００１５】
第３の発明または第４の発明に係るグラウンドの排水構造において、覆蓋の側面には、庇状に張り出すことで少なくとも前記アスファルト層または前記砂層からの透水を受けて側溝内に透水を誘導する透水受部が形成されているのが好ましい。この場合、透水受部の上面が湾曲凹面に形成されていると、その湾曲凹面が雨水等を効果的に受け止めるのでより好ましい。
【００１６】
ここで、第１〜第４の発明に係るグラウンドの排水構造において、多孔質コンクリートは、雨水等やこれらの流れに伴う塵埃等の透過効率を考慮すると、２０〜３０％の連続空隙率を有するのが好ましい。
【発明の効果】
【００１７】
第１の発明に係るグラウンドの排水構造によれば、雨水等がグラウンドの全面から透水性の人工芝生および透水性のアスファルト層を透過し、暗渠の透水構造部分から内部の排水空間に透過して暗渠の不透水構造部分により排水されるため、雨水等を効率良く十分に排水することができる。
【００１８】
第２の発明に係るグラウンドの排水構造によれば、雨水等がグラウンドの全面から砂層を透過し、暗渠の透水構造部分から内部の排水空間に透過して暗渠の不透水構造部分により排水されるため、雨水等を効率良く十分に排水することができる。
【００１９】
第３の発明に係るグラウンドの排水構造によれば、グラウンドの周辺部の雨水等が透水性の人工芝生および透水性のアスファルト層を透過し、砕石層の周辺部に敷設された側溝を覆う透水性の覆蓋を透過して側溝内に排水されるため、雨水等を効率良く十分に排水することができる。
【００２０】
第４の発明に係るグラウンドの排水構造によれば、グラウンドの周辺部の雨水等が砂層を透過すると共に、砕石層の周辺部に敷設された側溝を覆う透水性の覆蓋の上面および側面を透過して側溝内に排水されるため、雨水等を効率良く十分に排水することができる。
【００２１】
そして、第１〜第４の発明に係るグラウンドの排水構造において、上記程度の空隙率を有する多孔質コンクリートを使用すれば、雨水等の透過が良好になるのみならず、これらの流れに伴う塵埃等をも良好に透過することができるため、塵埃等が表面側に堆積することなく、長期に渡って良好な使用状態を確保することができる。
【発明を実施するための最良の形態】
【００２２】
以下、本発明に係るグラウンドの排水構造の最良の実施形態を図面を参照しつつ説明する。ここで、図１は一実施形態に係るグラウンドの排水構造の要部を示す縦断面図である。
【００２３】
一実施形態に係るグラウンドの排水構造は、図１に示すように、路盤となる砕石層１の表面が透水性のアスファルト層２で覆われ、このアスファルト層２の全面に透水性の人工芝生３が敷設された構造を有する。ここで、砕石層１には、排水用の暗渠４が所定の相互間隔で複数埋設されている。また、砕石層１の周辺部には、擁壁５に隣接して排水用の側溝６が連続して敷設されており、各側溝６は透水性を有する覆蓋７でそれぞれ塞がれている。
【００２４】
砕石層１は、地盤Ｇの表面に大小の砕石を敷き込むことで１５ｃｍ程度の厚さに形成される。この砕石層１の表面の面精度は、アスファルト層２の表面の面精度に大きく影響するため、砕石層１の表面は高精度に転圧処理される。なお、砕石層１が地盤Ｇと強固に結合するように、地盤Ｇの表面は、砂および固化材や改良材など敷設して転圧処理しておき、砕石層１の表面を転圧処理する際には、予め砕石層１に水を散布して浸透させておくのが好ましい。こうすることで、砕石層１の下部の砕石が地盤Ｇにめり込んで強固に結合する。
【００２５】
透水性のアスファルト層２は、開粒度の混合物により２０〜３０％の連続空隙率を有する。このアスファルト層２は、高精度に転圧処理された砕石層１の表面に３〜５ｃｍ程度の厚さに形成され、その表面が高精度に転圧処理される。
【００２６】
透水性の人工芝生３は、従来周知のものであり、例えば図２に拡大して示すように、耐候性ポリプロピレンの平織布からなる基布３Ａに耐候性ポリエチレンからなるロングパイル３Ｂが植毛され、基布３Ａ上のロングパイル３Ｂの根元部分に細粒ゴムチップを成形した目砂３Ｃが充填された構造を有する。
【００２７】
暗渠４は、横置き直方体の外観を呈し、その上面を砕石層１の表面に面一に臨ませた状態で上半部が砕石層１に埋設され、下半部が地盤Ｇに埋設されている。この暗渠４は、上半部が透水性の多孔質コンクリートからなる透水構造部分４Ａとされ、下半部が不透水性のコンクリートからなる不透水構造部分４Ｂとされている。そして、この暗渠４には、上半部の透水構造部分４Ａと下半部の不透水構造部分４Ｂとに跨って、例えば円形断面の排水空間４Ｃが形成されている（図３参照）。
【００２８】
暗渠４の上半部の透水構造部分４Ａを構成する多孔質コンクリートは、例えば２０〜３０％の連続空隙率を有し、アスファルト層２に対面する上面および砕石層１に対面する側面から内部の排水空間４Ｃに向けて雨水等を透過させるようになっている。
【００２９】
図４および図５に拡大して示すように、側溝６は、不透水性のコンクリートからなる従来一般のＵ字側溝であり、その開口部が覆蓋７で塞がれている。この覆蓋７は、アスファルト層２の表面に面一に臨む上面７Ａを有し、アスファルト層２の表面から覆蓋７の上面に亘って人工芝生３が敷設されている。
【００３０】
ここで、覆蓋７は、連続空隙率が２０〜３０％の透水性を有する多孔質コンクリートで構成されている。この覆蓋７の側面、すなわちアスファルト層２および砕石層１に対面する側面には、庇状に張り出す透水受部７Ｂがアスファルト層２および砕石層１からの透水を受けて透水を側溝６内に誘導するように形成されている。そして、この透水受部７Ｂの上面は、雨水等を効果的に受け止めるように、湾曲凹面７Ｃに形成されている。
【００３１】
湾曲凹面７Ｃの曲率半径Ｒは、多孔質コンクリートの連続空隙率によって異なり一概には決められない（すなわち、連続空隙率が大きい場合はＲを極端に大きくしても《言い換えれば、湾曲凹面７Ｃにせず、図７の直線状の傾斜面７Ｄとすることでも》雨水は側溝６に十分誘導されるが、連続空隙率が小さい場合はＲを小さくして《言い換えれば、湾曲凹面７Ｃを極端には凹溝状にして》雨水を積極的に凹溝に誘導し凹溝から側溝６に導くようにするなどの工夫が必要となる）が、上記の２０〜３０％の連続空隙率を有する多孔質コンクリートの場合においては、１／３０〜１／１０程度のＲとすることが好ましい。
【００３２】
以上のように構成された一実施形態のグラウンドの排水構造では、グラウンドに降ったり撒かれたりした雨水等は、グラウンドの全面から透水性の人工芝生３および透水性のアスファルト層２を透過する。そして、アスファルト層２を透過した雨水等は、砕石層１に埋設された暗渠４の上半部の透水構造部分４Ａから内部の排水空間４Ｃに透過し、暗渠４の下半部の不透水構造部分４Ｂによって排水される。
【００３３】
一方、グラウンドの周辺部において、透水性の人工芝生３および透水性のアスファルト層２を透過した雨水等は、側溝６の開口を覆う透水性の覆蓋７を透過して側溝６内に排水される。その際、覆蓋７の側面から庇状に張り出す透水受部７Ｂの湾曲凹面７Ｃがアスファルト層２および砕石層１からの透水を効果的に受けて透水を側溝６内に誘導するため、雨水等が側溝６内に効果的かつ確実に排水される。
【００３４】
すなわち、一実施形態のグラウンドの排水構造によれば、雨水等がグラウンドの全面から透水性の人工芝生３および透水性のアスファルト層２を透過し、暗渠４の透水構造部分４Ａから内部の排水空間４Ｃに透過して暗渠４の不透水構造部分４Ｂにより排水されるため、雨水等を効率良く十分に排水することができる。
【００３５】
また、グラウンドの周辺部においては、雨水等が透水性の人工芝生３および透水性のアスファルト層２を透過し、側溝６の開口を覆う透水性の覆蓋７の上面７Ａおよび透水受部７Ｂの湾曲凹面７Ｃから側溝６内に誘導されて排水されるため、この点からも雨水等を効率良く十分に排水することができる。
【００３６】
本発明に係るグラウンドの排水構造は、前述した一実施形態に限定されるものではない。例えば、図４に示した側溝６付近の擁壁５を有する構造は、図６に示すようなバンクＢを有する構造であってもよい。この場合、人工芝生３の端部は、アスファルト層２の上面に固定された硬質ゴムからなるＬ型止め具８によって係止される。
【００３７】
また、図２および図３に示した暗渠４の断面形状は四角形に限らず、円形や多角形とすることができ、暗渠４の排水空間４Ｃの断面形状も四角形などに適宜変更することができる。
【００３８】
図４および図５に示した覆蓋７の断面形状は、一例に過ぎず、側面から庇状に張り出す透水受部７Ｂの上面は、図７に示すような傾斜面７Ｄとしてもよい。
【００３９】
さらに、図２に示した透水性のアスファルト層２は、図８に示すように砕石層１の表面に３０ｃｍ程度の厚さで敷き込まれた砂層１２に変更し、この砂層１２の全面には、人工芝生３に替えて天然芝生１３を植設するようにしてもよい。この場合、図８に示した暗渠４は、図９に示すように、上半部の透水構造部分４Ａが砂層１２に突入するように埋設してもよい。
【００４０】
同様に、図４に示した透水性のアスファルト層２は、図１０に示すように砕石層１の表面に３０ｃｍ程度の厚さで敷き込まれた砂層１２に変更し、この砂層１２の周辺部には、人工芝生３に替えて天然芝生１３を植設するようにしてもよい。この場合、側溝６は、覆蓋７の上面７Ａおよび湾曲凹面７Ｃが砂層１２に対面するように埋設するのが好ましい。もちろん、本例においても、覆蓋７は、図７に示すように、透水受部７Ｂの上面を傾斜面７Ｄとしてもよい。
【００４１】
ここで、図８〜図１０に示すように、人工芝生３に替えて天然芝生１３が砂層１２に植設される場合、天然芝生１３の根が長く伸びると、暗渠４の透水構造部分４Ａや側溝６の覆蓋７を構成する多孔質コンクリートに目詰まりが発生する虞がある。そこで、この目詰まりを防止するため、（１）暗渠４の透水構造部分４Ａや側溝６の覆蓋７の少なくとも表面にネット（図示省略）を設置したり、あるいは（２）暗渠４の透水構造部分４Ａや側溝６の覆蓋７を構成する多孔質コンクリートを、内部の連続空隙率より表面の連続空隙率を高くしたりするなどが好ましい。例えば内部の連続空隙率を２０％程度とし、表面の連続空隙率３０％程度とするのが好ましい。
【００４２】
図８に示したグラウンドの排水構造では、グラウンドに降ったり撒かれたりした雨水等は、グラウンドの全面から砂層１２を透過し、暗渠４の上半部の透水構造部分４Ａの上面から内部の排水空間４Ｃに透過する。そして、排水空間４Ｃに透過した雨水等は、暗渠４の下半部の不透水構造部分４Ｂによって排水される。
【００４３】
また、図９に示したグラウンドの排水構造では、グラウンドに降ったり撒かれたりした雨水等は、グラウンドの全面から砂層１２を透過し、暗渠４の上半部の透水構造部分４Ａの上面および側面から効率よく内部の排水空間４Ｃに透過する。そして、排水空間４Ｃに透過した雨水等は、暗渠４の下半部の不透水構造部分４Ｂによって排水される。
【００４４】
一方、図１０に示したグラウンドの排水構造では、グラウンドの周辺部に降ったり撒かれたりした雨水等は、砂層１２を透過し、側溝６を覆う透水性の覆蓋７の上面７Ａおよび側面の湾曲凹面７Ｃを透過して側溝６内に排水される。
【００４５】
本発明に係るグラウンドの排水構造は、サッカー場、野球場、アメリカンフットボール場、ホッケー場、テニス場、陸上競技場などに適用することができる。
【図面の簡単な説明】
【００４６】
【図１】本発明の一実施形態に係るグラウンドの排水構造の要部を示す縦断面図である。
【図２】図１に示した暗渠付近の拡大縦断面図である。
【図３】図２に示した暗渠の縦断面図である。
【図４】図１に示した側溝付近の拡大縦断面図である。
【図５】図４に示した側溝および覆蓋の縦断面図である。
【図６】図１に示した側溝付近の変形例を示す拡大縦断面図である。
【図７】図６に示した覆蓋の変形例を示す側溝および覆蓋の縦断面図である。
【図８】図２に示した透水性のアスファルト層を砂層に変更した変形例を示す図２に対応した暗渠付近の拡大縦断面図である。
【図９】図８に示した暗渠の埋設状態を変更した変形例を示す図７に対応した暗渠付近の拡大縦断面図である。
【図１０】図４に示した透水性のアスファルト層を砂層に変更した変形例を示す図４に対応した側溝付近の拡大縦断面図である。
【符号の説明】
【００４７】
１    砕石層
２    透水性のアスファルト層
３    透水性の人工芝生
３Ａ  基布
３Ｂ  ロングパイル
３Ｃ  目砂
４    排水用の暗渠
４Ａ  透水構造部分
４Ｂ  不透水構造部分
４Ｃ  排水空間
５    擁壁
６    排水用の側溝
７    覆蓋
７Ａ  上面
７Ｂ  透水受部
７Ｃ  湾曲凹面
７Ｄ  傾斜面
８    Ｌ型止め具
１２    砂層
１３    天然芝生
Ｂ    バンク
【図１】
2009102913.tif 000003
【図２】
2009102913.tif 000004
【図３】
2009102913.tif 000005
【図４】
2009102913.tif 000006
【図５】
2009102913.tif 000007
【図６】
2009102913.tif 000008
【図７】
2009102913.tif 000009
【図８】
2009102913.tif 000010
【図９】
2009102913.tif 000011
【図１０】
2009102913.tif 000012